【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
ベースノードと複数のサービスノードとを含む複数のノードを有するネットワークにおいて通信する方法であって、前記サービスノードが少なくとも１つのスイッチノードと少なくとも１つの端子ノードを含み、前記方法が、
第１のサービスノードからのデータ／ＡＬＶ＿Ｓ／ＡＣＫフレームを受け取る時に前記ベースノードで前記第１のサービスノードに対してＡＬＶ＿Ｓタイマーを再開することと、
ＡＬＶ＿ＢフレームにおいてアライブＡＬＶ．ＴＩＭＥフィールドを伝送することにより第１のＫＡタイマーに対してキープアライブＫＡタイムアウト（ＫＡ＿ＴＯ）値を設定することであって、実装特定アルゴリズムを用いて前記ＫＡ＿ＴＯ値が前記ベースノードにより設定され、前記ＫＡ＿ＴＯ値により定められる各タイムインタバルの間に前記ベースノードが少なくとも幾らかのフレームを前記第１のサービスノードに送信することを確実にするため、前記第１のサービスノードに対すて最後に送信されたデータフレーム又は前記ＡＬＶ＿Ｂフレームを追跡するために前記ベースノードがＡＬＶ＿Ｂタイマーを使用する、前記設定することと、
を含む、方法。
【請求項２】
請求項１に記載の方法であって、
前記ネットワークが直交周波数分割多重（ＯＦＤＭ）シグナリングを用いる、方法。
【請求項３】
請求項１に記載の方法であって、
前記通信が電力線通信を含む、方法。
【請求項４】
請求項１に記載の方法であって、
前記通信がワイヤレス通信を含む、方法。
【請求項５】
ベースノード（ＢＮ）と複数のサービスノード（ＳＮ）とを含む複数のノードを有するネットワークにおいて通信する方法であって、前記複数のＳＮが少なくとも１つのスイッチノード（ＳＷ）と少なくとも１つの端子ノード（ＴＮ）とを含み、前記方法が、
前記複数のＳＮからの第１のＳＮが、前記ＢＮからの（ｉ）データ／ＡＬＶ＿Ｂ／ＡＣＫフレーム、又は前記ＢＮ又は前記ＳＷからの（ｉｉ）ビーコンを受け取り、前記（ｉ）又は（ｉｉ）を受け取るときに前記第１のＳＮで第１のキープアライブ（ＫＡ）タイマーを再開することと、
ＡＬＶ＿ＢフレームにおいてアライブＡＬＶ．ＴＩＭＥフィールドを伝送することにより前記第１のＫＡタイマーに対してＫＡタイムアウト（ＫＡ＿ＴＯ）値を設定することであって、実装特定アルゴリズムを用いて前記ＫＡ＿ＴＯ値が前記ＢＮにより設定され、前記ＫＡ＿ＴＯ値により定められる各タイムインタバルの間に前記ＢＮが少なくとも幾つかのフレームを前記第１のＳＮに送信することを確実にするため、前記第１のＳＮに対して最後に送信されたデータフレーム又は前記ＡＬＶ＿Ｂフレームを追跡するために前記ＢＮがＡＬＶ＿Ｂタイマーを用いる、前記設定することと、
を含む、方法。
【請求項６】
請求項５に記載の方法であって、
前記ネットワークが直交周波数分割多重（ＯＦＤＭ）シグナリングを用いる、方法。
【請求項７】
請求項５に記載の方法であって、
前記通信が電力線通信を含む、方法。
【請求項８】
請求項５に記載の方法であって、
前記通信がワイヤレス通信を含む、方法。
【請求項９】
ベースノード（ＢＮ）と複数のサービスノード（ＳＮ）とを含む複数のノードを有するネットワークにおいて通信する方法であって、前記複数のＳＮが少なくとも１つのスイッチノード（ＳＷ）と少なくとも１つの端子ノード（ＴＮ）とを含み、前記方法が、
前記複数のＳＮからの第１のＳＮが、前記ＢＮからの（ｉ）データ／ＡＬＶ＿Ｂ／ＡＣＫフレーム、又は前記ＢＮ又は前記ＳＷからの（ｉｉ）ビーコンを受け取り、前記（ｉ）又は（ｉｉ）を受け取るときに前記第１のＳＮで第１のキープアライブ（ＫＡ）タイマーを再開することと、
前記第１のＳＮからのデータ／ＡＬＶ＿Ｓ／ＡＣＫフレームを受け取るときに前記第１のＳＮに対して前記ＳＮでアライブＡＬＶ＿Ｓタイマーを再開することと、
ＡＬＶ＿ＢフレームにおいてＡＬＶ．ＴＩＭＥフィールドを伝送することにより前記第１のＫＡタイマーに対してＫＡタイムアウト（ＫＡ＿ＴＯ）値を設定することであって、実装特定アルゴリズムを用いて前記ＫＡ＿ＴＯ値が前記ＢＮにより設定され、前記ＫＡ＿ＴＯ値により定められる各タイムインタバルの間に前記ＢＮが前記第１のＳＮに対して少なくとも幾らかのフレームを送信することを確実にするため、前記第１のＳＮに対すて最後に送信されたデータフレーム又は前記ＡＬＶ＿Ｂフレームを追跡するために前記ＢＮがＡＬＶ＿Ｂタイマーを用いる、前記設定することと、
を含む、方法。
【請求項１０】
ベースノードと、少なくとも１つのスイッチノード及び少なくとも１つの端子ノードを有する複数のサービスノードとを含む複数のノードを有するネットワークにおける第１のノードにおいて、ＫＡロス低減アルゴリズムを実装するためにストアされた命令を有する非一時的（ｎｏｎ−ｔｒａｎｓｉｔｏｒｙ）メモリに通信可能に結合されるキープアライブ（ＫＡ）タイマーを実装するプロセッサを含む、モデムであって、
実行されるとき、前記プロセッサに、
前記モデムが前記複数のサービスノードからの第１のサービスノードにあるとき、前記第１のサービスノードが、（ｉ）前記ベースノードからのデータ／ＡＬＶ＿Ｂ／ＡＣＫフレーム、又は（ｉｉ）前記ベースノード又は前記スイッチノードからのビーコンを受け取る時に前記第１のサービスノードにおける第１のキープアライブ（ＫＡ）タイマーを再開させ、
前記モデムが前記ベースノードにあるとき、前記第１のサービスノードからのデータ／ＡＬＶ＿Ｓ／ＡＣＫフレームを受け取る時に前記第１のサービスノードに対して前記ベースノードにおけるＡＬＶ＿Ｓタイマーを再開させ、
ＡＬＶ＿ＢフレームにおいてＡＬＶ．ＴＩＭＥフィールドを伝送することにより前記第１のＫＡタイマーに対してＫＡタイムアウト（ＫＡ＿ＴＯ）値を設定させ、
実装特定アルゴリズムを用いて前記ベースノードにより前記ＫＡ＿ＴＯ値が設定され、前記ＫＡ＿ＴＯ値により定められる各タイムインタバルの間に前記第１のサービスノードに対して前記ベースノードが少なくとも幾らかのフレームを送信することを確実にするため、前記第１のサービスノードに対して最後に送信されたデータフレーム又は前記ＡＬＶ＿Ｂフレームを追跡するために前記ベースノードがＡＬＶ＿Ｂタイマーを使用する、モデム。
【請求項１１】
請求項１０に記載のモデムであって、
前記モデムが、半導体表面を有する基板を含む集積回路上に形成され、前記プロセッサがデジタルシグナルプロセッサを含む、モデム。
【請求項１２】
請求項１０に記載のモデムであって、
前記モデムが電力線モデムを含む、モデム。
【請求項１３】
請求項１０に記載のモデムであって、
前記モデムがワイヤレスモデムを含む、モデム。
【請求項１４】
モデムを含む通信デバイスであって、
前記モデムが、
ベースノードと、少なくとも１つのスイッチノード及び少なくとも１つの端子ノードを有する複数のサービスノードとを含む複数のノードを有するネットワークにおける第１のノードにおいて、ＫＡロス低減アルゴリズムを実装するためストアされた命令を有する非一時的メモリに通信可能に結合されるキープアライブ（ＫＡ）タイマーを実装するプロセッサと、
前記モデムに通信可能に結合されるトランシーバと、
を含み、
実行されるとき、前記プロセッサに、
前記モデムが前記複数のサービスノードからの第１のサービスノードにあるとき、（ｉ）前記ベースノードからのデータ／ＡＬＶ＿Ｂ／ＡＣＫフレーム、又は（ｉｉ）前記ベースノード又は前記スイッチノードからのビーコンを受け取る時に前記第１のサービスノードが前記第１のサービスノードにおける第１のキープアライブ（ＫＡ）タイマーを再開させ、
前記モデムが前記ベースノードにあるとき、前記第１のサービスノードからのデータ／ＡＬＶ＿Ｓ／ＡＣＫフレームを受け取る時に前記第１のサービスノードに対して前記ベースノードにおけるＡＬＶ＿Ｓタイマーを再開させ、
ＡＬＶ＿ＢフレームにおいてＡＬＶ．ＴＩＭＥフィールドを伝送することにより前記第１のＫＡタイマーに対してＫＡタイムアウト（ＫＡ＿ＴＯ）値を設定させ、
実装特定アルゴリズムを用いて前記ベースノードにより前記ＫＡ＿ＴＯ値が設定され、前記ＫＡ＿ＴＯ値により定められる各タイムインタバルの間に前記第１のサービスノードに対して前記ベースノードが少なくとも幾らかのフレームを送信することを確実にするため、前記第１のサービスノードに対して最後に送信されたデータフレーム又は前記ＡＬＶ＿Ｂフレームを追跡するために前記ベースノードがＡＬＶ＿Ｂタイマーを使用する、通信デバイス。
【請求項１５】
請求項１４に記載の通信デバイスであって、
前記モデムと前記非一時的メモリとが半導体表面を有する基板を含む集積回路上に形成され、前記プロセッサがデジタルシグナルプロセッサを含む、通信デバイス。
【請求項１６】
請求項１４に記載の通信デバイスであって、
前記モデムが電力線モデムを含み、前記トランシーバが電力線トランシーバを含む、通信デバイス。
【請求項１７】
請求項１４に記載の通信デバイスであって、
前記モデムがワイヤレスモデムを含み、前記トランシーバがワイヤレストランシーバを含む、通信デバイス。